(57)【要約】      （修正有）【課題】1つのサブ画素ユニットにおける各サブ画素を小さくさせ、OLEDディスプレイの解像度を向上させることができるＯＬＥＤ画素配列構造を提供する。【解決手段】複数のRサブ画素からなるRサブ画素群１１０と、複数のGサブ画素からなるGサブ画素群２１０と、複数のBサブ画素３１０からなるBサブ画素群と、を含み、前記Rサブ画素群、Gサブ画素群及びBサブ画素群は間隔を置いて配列され、それにより、前記Rサブ画素群、Gサブ画素群及びBサブ画素群において隣接するR、G、Bサブ画素で1つの画素を構成するOLED画素配列構造。【選択図】図３
2016090991.tif 000002
【特許請求の範囲】
【請求項１】
複数のRサブ画素からなるRサブ画素群と、複数のGサブ画素からなるGサブ画素群と、複数のBサブ画素からなるBサブ画素群と、を含み、
前記Rサブ画素群、Gサブ画素群及びBサブ画素群は間隔を置いて配列され、それにより、前記Rサブ画素群、Gサブ画素群及びBサブ画素群において隣接するR、G、Bサブ画素で1つの画素を構成し、
前記Rサブ画素群は、2つのRサブ画素を含み、前記Gサブ画素群は2つのGサブ画素を含み、前記Bサブ画素群は2つのBサブ画素を含み、
第1の方向に沿って順次配列された第1のRサブ画素群、第1のGサブ画素群及び第1のBサブ画素群を有する複数の第1のサブ画素列と、
第1の方向に沿って順次配列された第2のRサブ画素群、第2のGサブ画素群及び第2のBサブ画素群を有する複数の第2のサブ画素列と、を含み、
前記第1のサブ画素列と前記第2のサブ画素列は間隔を置いて配列され、前記第1のサブ画素列における第1のRサブ画素群、第1のGサブ画素群及び第1のBサブ画素群と前記第2のサブ画素列における第2のRサブ画素群、第2のGサブ画素群及び第2のBサブ画素群とは前記第1の方向に沿ってずらして配列され、それにより、前記第1のサブ画素列と第2のサブ画素列との間の隣接するR、G、Bサブ画素で1つの画素を構成するとともに、いずれのサブ画素群における2つのサブ画素は前記第1の方向に垂直する第2の方向に沿って配列されることを特徴とするOLED画素配列構造。
【請求項２】
前記第1のサブ画素列における隣接する2つのサブ画素群と前記第2のサブ画素列における1つのサブ画素群との間の隣接するR、G、Bサブ画素は1つの画素を構成するとともに、前記第1の方向に沿って隣接する2つの画素は、
1つのRサブ画素、2つのGサブ画素及び2つのBサブ画素、又は、
1つのGサブ画素、2つのBサブ画素及び2つのRサブ画素、又は、
1つのBサブ画素、2つのRサブ画素及び2つのGサブ画素を含むことを特徴とする請求項1に記載のOLED画素配列構造。
【請求項３】
前記第1のサブ画素列における1つのサブ画素群と前記第2のサブ画素列における隣接する2つのサブ画素群との間の隣接するR、G、Bサブ画素は1つの画素を構成するとともに、前記第1の方向に沿って隣接する2つの画素は、
1つのRサブ画素、2つのGサブ画素及び2つのBサブ画素、又は、
1つのGサブ画素、2つのBサブ画素及び2つのRサブ画素、又は、
1つのBサブ画素、2つのRサブ画素及び2つのGサブ画素を含むことを特徴とする請求項1に記載のOLED画素配列構造。
【請求項４】
前記第1の方向が行方向で、前記第2の方向が列方向であることを特徴とする請求項1〜3の中のいずれか一項に記載のOLED画素配列構造。
【請求項５】
前記第1の方向が列方向で、前記第2の方向が行方向であることを特徴とする請求項1〜3の中のいずれか一項に記載のOLED画素配列構造。
【請求項６】
第1の画素組と第2の画素組とを含み、いずれの前記第1の画素組又は前記第2の画素組は三角形状に配列された第1のサブ画素、第2のサブ画素及び第3のサブ画素を有し、前記第1の画素組における第2のサブ画素と前記第2の画素組における第2のサブ画素とは互いに接続され、前記第1の画素組における第3のサブ画素と前記第2の画素組における第3のサブ画素とも互いに接続され、前記第1のサブ画素、第2のサブ画素及び第3のサブ画素は色がそれぞれ異なる
ことを特徴とするOLED画素配列構造。
【請求項７】
前記第1の画素組と第2の画素組とは第1の方向に沿って配列され、前記第1の画素組における第2のサブ画素及び第3のサブ画素、並びに前記第2の画素組における第2のサブ画素及び第3のサブ画素は第2の方向に沿って配列され、前記第1の方向が前記第2の方向に垂直することを特徴とする請求項6に記載のOLED画素配列構造。
【請求項８】
第3の画素組をさらに含み、前記第3の画素組は三角形状に配列された第1のサブ画素、第2のサブ画素及び第3のサブ画素を有し、前記第3の画素組における第1のサブ画素と前記第1の画素組又は第2の画素組における第1のサブ画素とは前記第1の方向に沿って接続されることを特徴とする請求項7に記載のOLED画素配列構造。
【発明の詳細な説明】
【技術分野】
【０００１】
本発明は、OLED表示技術に関し、特にOLED画素配列構造に関する。
【背景技術】
【０００２】
フラットパネル表示技術において、有機発光ダイオード（Organic Light-Emitting Diode、OLED）ディスプレイは軽量薄型、能動発光、高速な応答速度、広視野角、豊かな色彩、高輝度、低消費電力、耐高低温などの多種の利点により業界で液晶ディスプレイ（LCD）の後の第3の世代の表示技術と認定される。駆動形式から見れば、OLEDは受動型OLED（Passive Matrix OLED、PMOLED）と能動型OLED（Active Matrix OLED、AMOLED）に分けられ、PMOLEDはパッシブマトリクス型OLEDとも称し、AMOLEDはアクティブマトリクス型OLEDとも称し、PMOLEDは小さなサイズ、低解像度の表示パネルしかを製造することができず、AMOLEDは各画素に薄膜トランジスタ（TFT）とコンデンサを集積してコンデンサで電圧を維持する方法により駆動されるので、大きなサイズ、高解像度のパネルを実現することができ、現在に研究する重点及び今後の表示技術の発展方向である。
【０００３】
図1、図2に示すように、従来のOLED画素配列構造は、複数の繰り返して配列された画素90からなり、1つの画素90はR、G、Bという3つのサブ画素91、92、93を含み、R、G、Bという3つのサブ画素91、92、93は一般的に矩形で規則的に隣接するという配列形式である。しかし、従来のOLEDは電子設備がディスプレイに対する高解像度、高輝度の要求を満たし難い。OLEDは、解像度が300PPI（1インチあたりの画素数）以上に達する際、従来のRGBがストリップ状に配列された画素配列構造は、金属マスクで有機発光材料を蒸着し難いからであり、かつ開口率が低く、OLEDに注入される電流密度が大きいので、輝度と寿命の間に妥協を選択せざるをえない。業界において当該問題を改良するために、あるメーカーが「PenTileRGB」と称するより効率的な画素配列形式を提出したが、当該配列形式には画像のクロストークが悪化し、モアレ効果が明らかで、斜線の鋸歯状が悪化するなどの問題がある。
【発明の概要】
【０００４】
上記問題に鑑み、本発明は、
複数のRサブ画素からなるRサブ画素群と、複数のGサブ画素からなるGサブ画素群と、複数のBサブ画素からなるBサブ画素群と、を含み、
前記Rサブ画素群、Gサブ画素群及びBサブ画素群は、間隔を置いて配列され、それにより、前記Rサブ画素群、Gサブ画素群及びBサブ画素群において隣接するR、G、Bサブ画素で1つの画素を構成するOLED画素配列構造を提供する。
【０００５】
本発明のOLED画素配列構造は、同じ色のサブ画素を緊密に配列して1つのサブ画素群に組み合わせ、更に各サブ画素群が間隔を置いて配列されることにより、隣接するR、G、Bサブ画素で1つの画素を構成する。複数のサブ画素を1つのサブ画素群に集め、従来技術における単一のサブ画素に比べて、OLEDディスプレイの解像度（ppi）が同じであることを確保すると同時に、金属マスク（Fine Metal Mask、高精度金属マスク）の開口率を向上させ、金属マスクの製造での困難を解決することができる。又は、マスクの開口率が同じであることを確保すると同時に、1つのサブ画素群における各サブ画素をより小さくさせ、OLEDディスプレイの解像度を更に向上させることができる。
【０００６】
本発明のOLED画素配列構造の更なる改良は、前記Rサブ画素群は2つのRサブ画素を含み、前記Gサブ画素群は2つのGサブ画素を含み、前記Bサブ画素群は2つのBサブ画素を含むことにある。
【０００７】
本発明のOLED画素配列構造の更なる改良は、
第1の方向に沿って順次配列された第1のRサブ画素群、第1のGサブ画素群及び第1のBサブ画素群を有する複数の第1のサブ画素列と、
第1の方向に沿って順次配列された第2のRサブ画素群、第2のGサブ画素群及び第2のBサブ画素群を有する複数の第2のサブ画素列と、を含み、
前記第1のサブ画素列と前記第2のサブ画素列は間隔を置いて配列され、前記第1のサブ画素列における第1のRサブ画素群、第1のGサブ画素群及び第1のBサブ画素群と前記第2のサブ画素列における第2のRサブ画素群、第2のGサブ画素群及び第2のBサブ画素群とは前記第1の方向に沿ってずらして配列され、それにより、前記第1のサブ画素列と第2のサブ画素列との間の隣接するR、G、Bサブ画素で1つの画素を構成するとともに、いずれのサブ画素群における2つのサブ画素は前記第1の方向に垂直する第2の方向に沿って配列されることにある。
【０００８】
本発明のOLED画素配列構造の更なる改良は、前記第1のサブ画素列における隣接する2つのサブ画素群と前記第2のサブ画素列における1つのサブ画素群の間の隣接するR、G、Bサブ画素は1つの画素を構成するとともに、前記第1の方向に沿って隣接する2つの画素は、
1つのRサブ画素、2つのGサブ画素及び2つのBサブ画素、又は、
1つのGサブ画素、2つのBサブ画素及び2つのRサブ画素、又は、
1つのBサブ画素、2つのRサブ画素及び2つのGサブ画素を含むことにある。
【０００９】
本発明のOLED画素配列構造の更なる改良は、前記第1のサブ画素列における1つのサブ画素群と前記第2のサブ画素列における隣接する2つのサブ画素群との間の隣接するR、G、Bサブ画素は1つの画素を構成するとともに、前記第1の方向に沿って隣接する2つの画素は、
1つのRサブ画素、2つのGサブ画素及び2つのBサブ画素、又は、
1つのGサブ画素、2つのBサブ画素及び2つのRサブ画素、又は、
1つのBサブ画素、2つのRサブ画素及び2つのGサブ画素を含むことにある。
【００１０】
本発明のOLED画素配列構造の更なる改良は、前記第1の方向が行方向で、前記第2の方向が列方向であることにある。
【００１１】
本発明のOLED画素配列構造の更なる改良は、前記第1の方向が列方向で、前記第2の方向が行方向であることにある。
【００１２】
本発明のOLED画素配列構造は、隣接する2つの画素が1つのサブ画素を共用することにより、サブ画素の数を減少し、プロセスの難しさを低下させ、プロセスコストを節約する。
【００１３】
本発明は、
第1の画素組と第2の画素組を含み、いずれの前記第1の画素組又は前記第2の画素組は、三角形状に配列された第1のサブ画素、第2のサブ画素及び第3のサブ画素を有し、前記第1の画素組における第2のサブ画素と前記第2の画素組における第2のサブ画素とは互いに接続され、前記第1の画素組における第3のサブ画素と前記第2の画素組における第3のサブ画素とも互いに接続され、前記第1のサブ画素、第2のサブ画素及び第3のサブ画素は色がそれぞれ異なるOLED画素配列構造を更に提供する。
【００１４】
本発明のOLED画素配列構造の更なる改良は、前記第1の画素組と第2の画素組とは第1の方向に沿って配列され、前記第1の画素組における第2のサブ画素及び第3のサブ画素、並びに前記第2の画素組における第2のサブ画素及び第3のサブ画素は第2の方向に沿って配列され、前記第1の方向は前記第2の方向に垂直することにある。
【００１５】
本発明のOLED画素配列構造の更なる改良は、第3の画素組をさらに含み、前記第3の画素組は、三角形状に配列された第1のサブ画素、第2のサブ画素及び第3のサブ画素を有し、前記第3の画素組における第1のサブ画素と前記第1の画素組又は第2の画素組における第1のサブ画素とは前記第1の方向に沿って接続される。
【００１６】
2つの画素組における同じ色のサブ画素は互いに接続され、従来技術における単一のサブ画素に比べて、同様にOLEDディスプレイの解像度（ppi）が同じであることを確保すると同時に、金属マスク（Fine Metal Mask、高精度金属マスク）の開口率を向上させ、金属マスクの製造での困難を解決することができる。又は、マスクの開口率が同じであることを確保すると同時に、1つの画素組における各サブ画素をより小さくさせ、OLEDディスプレイの解像度を更に向上させることができる。
【図面の簡単な説明】
【００１７】
【図１】図1は従来技術のOLED画素配列構造の第1の実施例の模式図である。
【図２】図2は従来技術のOLED画素配列構造の第2の実施例の模式図である。
【図３】図3は本発明のOLED画素配列構造の模式図である。
【図４】図4は本発明のOLED画素配列構造の第1の実施例の模式図である。
【図５】図5は図4に示す実施例の第1の画素の定義方法の模式図である。
【図６】図6は図4に示す実施例の第2の画素の定義方法の模式図である。
【図７】図7は本発明のOLED画素配列構造の第2の実施例の模式図である。
【図８】図8は図7に示す実施例の第1の画素の定義方法の模式図である。
【図９】図9は図7に示す実施例の第2の画素の定義方法の模式図である。
【図１０】図10は本発明のOLED画素配列構造の第3の実施例の模式図である。
【発明を実施するための形態】
【００１８】
本発明の目的、技術案及び利点をより明確にするために、以下、図面及び実施例を参照しながら、本発明をさらに詳しく説明する。ここで記述された具体的な実施例は単に本発明を解釈するためのものであり、本発明を限定するためのものではないことを理解すべきである。
【００１９】
図3は本発明のOLED画素配列構造の模式図である。図3に示すように、本発明のOLED画素配列構造は、
複数のRサブ画素110からなるRサブ画素群10と、複数のGサブ画素210からなるGサブ画素群20と、複数のBサブ画素310からなるBサブ画素群30と、という3種の異なる色のサブ画素群を含む。好ましくは、前記Rサブ画素群10が2つのRサブ画素110を含み、前記Gサブ画素群20が2つのGサブ画素210を含み、前記Bサブ画素群30が2つのBサブ画素310を含む。
【００２０】
前記Rサブ画素群10、Gサブ画素群20及びBサブ画素群30は間隔を置いて配列され、それにより、前記Rサブ画素群10、Gサブ画素群20及びBサブ画素群30において隣接するR、G、Bサブ画素で1つの画素40を構成する。
【００２１】
具体的には、本発明のOLED画素配列構造は、
第1の方向に沿って順次配列された第1のRサブ画素群、第1のGサブ画素群及び第1のBサブ画素群を有する複数の第1のサブ画素列と、
第1の方向に沿って順次配列された第2のRサブ画素群、第2のGサブ画素群及び第2のBサブ画素群を有する複数の第2のサブ画素列と、を含み、
前記第1のサブ画素列と前記第2のサブ画素列は間隔を置いて配列され、前記第1のサブ画素列における第1のRサブ画素群、第1のGサブ画素群及び第1のBサブ画素群と前記第2のサブ画素列における第2のRサブ画素群、第2のGサブ画素群及び第2のBサブ画素群とは前記第1の方向に沿ってずらして配列され、それにより、前記第1のサブ画素列と第2のサブ画素列との間の隣接するR、G、Bサブ画素で1つの画素を構成するとともに、いずれのサブ画素群における2つのサブ画素は前記第1の方向に垂直する第2の方向に沿って配列される。
【００２２】
画素の定義方法は、次の2種の方法がある。
【００２３】
（1）前記第1のサブ画素列における隣接する2つのサブ画素群と前記第2のサブ画素列における1つのサブ画素群との間の隣接するR、G、Bサブ画素は1つの画素を構成するとともに、前記第1の方向に沿って隣接する2つの画素は、
1つのRサブ画素、2つのGサブ画素及び2つのBサブ画素、又は、
1つのGサブ画素、2つのBサブ画素及び2つのRサブ画素、又は、
1つのBサブ画素、2つのRサブ画素及び2つのGサブ画素を含む。
【００２４】
（2）前記第1のサブ画素列における1つのサブ画素群と前記第2のサブ画素列における隣接する2つのサブ画素群との間の隣接するR、G、Bサブ画素は1つの画素を構成するとともに、前記第1の方向に沿って隣接する2つの画素は、
1つのRサブ画素、2つのGサブ画素及び2つのBサブ画素、又は、
1つのGサブ画素、2つのBサブ画素及び2つのRサブ画素、又は、
1つのBサブ画素、2つのRサブ画素及び2つのGサブ画素を含む。
【００２５】
本発明のOLED画素配列構造の更なる改良は、前記第1の方向が行方向で、前記第2の方向が列方向であることにある。
【００２６】
本発明のOLED画素配列構造の更なる改良は、前記第1の方向が列方向で、前記第2の方向が行方向であることにある。
【００２７】
本発明のOLED画素配列構造は、隣接する2つの画素が1つのサブ画素を共用することにより、サブ画素の数を減少し、プロセスの難しさを低下させ、プロセスコストを節約する。
【００２８】
以下、図面を参照しながら、本発明のOLED画素配列構造の2種の具体的な実施例を詳しく説明する。
【実施例１】
【００２９】
図4は本発明のOLED画素配列構造の第1の実施例の模式図である。図4に示すように、実施例1において、前記第1の方向は行方向（図に示すX方向）で、前記第2の方向は列方向（図に示すY方向）である。当該実施例において、OLED画素配列構造は、
行方向に沿って順次配列された第1のRサブ画素群10a、第1のGサブ画素群20a及び第1のBサブ画素群30aを有する複数の第1のサブ画素行50と、
行方向に沿って順次配列された第2のRサブ画素群10b、第2のGサブ画素群20b及び第2のBサブ画素群30bを有する複数の第2のサブ画素行60と、を含み、
前記第1のサブ画素行50と前記第2のサブ画素行60は間隔を置いて配列され、前記第1のサブ画素行50における第1のRサブ画素群10a、第1のGサブ画素群20a及び第1のBサブ画素群30aと前記第2のサブ画素行60における第2のRサブ画素群10b、第2のGサブ画素群20b及び第2のBサブ画素群30bとは行方向に沿ってずらして配列され、それにより、前記第1のサブ画素行50と第2のサブ画素行60との間の隣接するR、G、Bサブ画素で1つの画素40を構成するとともに、いずれのサブ画素群における2つのサブ画素は列方向に沿って配列される。
【００３０】
更に、図5を参照する。図5は図4に示す実施例1の第1の画素の定義方法の模式図であり、画素の定義方向は図におけるΔ（delta）に示すとおりである。前記第1のサブ画素行50における隣接する2つのサブ画素群と前記第2のサブ画素行60における1つのサブ画素群との間の隣接するR、G、Bサブ画素は1つの画素40を構成するとともに、行方向に沿って隣接する2つの画素40は、
1つのRサブ画素110、2つのGサブ画素210及び2つのBサブ画素310、又は、
1つのGサブ画素210、2つのBサブ画素310及び2つのRサブ画素110、又は、
1つのBサブ画素310、2つのRサブ画素110及び2つのGサブ画素210を含む。
【００３１】
更に、図6を参照する。図6は図4に示す実施例1の第2の画素の定義方法の模式図であり、画素の定義方向は図におけるΔ（delta）に示すとおりである。前記第1のサブ画素行50における1つのサブ画素群と前記第2のサブ画素行60における隣接する2つのサブ画素群との間の隣接するR、G、Bサブ画素は1つの画素40を構成するとともに、行方向に沿って隣接する2つの画素40は、
1つのRサブ画素110、2つのGサブ画素210及び2つのBサブ画素310、又は、
1つのGサブ画素210、2つのBサブ画素310及び2つのRサブ画素110、又は、
1つのBサブ画素310、2つのRサブ画素110及び2つのGサブ画素210を含む。
【実施例２】
【００３２】
図7は本発明のOLED画素配列構造の第2の実施例の模式図である。図7に示すように、実施例2において、前記第1の方向は列方向（図に示すY方向）で、前記第2の方向は行方向（図に示すX方向）である。当該実施例において、OLED画素配列構造は、
行方向に沿って順次配列された第1のRサブ画素群10c、第1のGサブ画素群20c及び第1のBサブ画素群30cを有する複数の第1のサブ画素列70と、
行方向に沿って順次配列された第2のRサブ画素群10d、第2のGサブ画素群20d及び第2のBサブ画素群30dを有する複数の第2のサブ画素列80と、を含み、
前記第1のサブ画素列70と前記第2のサブ画素列80は間隔を置いて配列され、前記第1のサブ画素列70における第1のRサブ画素群10c、第1のGサブ画素群20c及び第1のBサブ画素群30cと前記第2のサブ画素列80における第2のRサブ画素群10d、第2のGサブ画素群20d及び第2のBサブ画素群30dとは列方向に沿ってずらして配列され、それにより、前記第1のサブ画素列70と第2のサブ画素列80の間の隣接するR、G、Bサブ画素で1つの画素40を構成するとともに、いずれのサブ画素群における2つのサブ画素は行方向に沿って配列される。
【００３３】
更に、図8を参照する。図8は図7に示す実施例2の第1の画素の定義方法の模式図であり、画素の定義方向は図におけるΔ（delta）に示すとおりである。前記第1のサブ画素列70における隣接する2つのサブ画素群と前記第2のサブ画素列80における1つのサブ画素群との間の隣接するR、G、Bサブ画素は1つの画素40を構成するとともに、列方向に沿って隣接する2つの画素40は、
1つのRサブ画素110、2つのGサブ画素210及び2つのBサブ画素310、又は、
1つのGサブ画素210、2つのBサブ画素310及び2つのRサブ画素110、又は、
1つのBサブ画素310、2つのRサブ画素110及び2つのGサブ画素210を含む。
【００３４】
更に、図9を参照する。図9は図7に示す実施例2の第2の画素の定義方法の模式図であり、画素の定義方向は図におけるΔ（delta）に示すとおりである。前記第1のサブ画素列70における1つのサブ画素群と前記第2のサブ画素列80における隣接する2つのサブ画素群との間の隣接するR、G、Bサブ画素は1つの画素40を構成するとともに、列方向に沿って隣接する2つの画素40は、
1つのRサブ画素110、2つのGサブ画素210及び2つのBサブ画素310、又は、
1つのGサブ画素210、2つのBサブ画素310及び2つのRサブ画素110、又は、
1つのBサブ画素310、2つのRサブ画素110及び2つのGサブ画素210を含む。
【００３５】
本発明のOLED画素配列構造は、同じ色のサブ画素を緊密に配列して1つのサブ画素群に組み合わせ、更に各サブ画素群が間隔を置いて配列されることにより、隣接するR、G、Bサブ画素で1つの画素を構成する。複数のサブ画素を1つのサブ画素群に集め、従来技術における単一のサブ画素に比べて、OLEDディスプレイの解像度（ppi）が同じであることを確保すると同時に、金属マスク（Fine Metal Mask、高精度金属マスク）の開口率を向上させ、金属マスクの製造での困難を解決することができる。又は、マスクの開口率が同じであることを確保すると同時に、1つのサブ画素群における各サブ画素をより小さくさせ、OLEDディスプレイの解像度を更に向上させることができる。且つ、隣接する2つの画素は1つのサブ画素を共用することにより、サブ画素の数を減少し、プロセスの難しさを低下させ、プロセスコストを節約する。
【００３６】
図10は本発明のOLED画素配列構造の第3の実施例の模式図である。図10に示すように、当該実施例において、OLED画素配列構造は、
第1の画素組1000と第2の画素組2000とを含み、いずれの第1の画素組1000又は第2の画素組2000は三角形状に配列された第1のサブ画素1111、第2のサブ画素2222及び第3のサブ画素3333を有し、第1の画素組1000における第2のサブ画素2222と第2の画素組2000における第2のサブ画素2222とは互いに接続され、第1の画素組1000における第3のサブ画素3333と第2の画素組2000における第3のサブ画素3333とも互いに接続され、第1のサブ画素1111、第2のサブ画素2222及び第3のサブ画素3333は色がそれぞれ異なる。第1の画素組1000と第2の画素組2000とは第1の方向に沿って配列され、第1の画素組1000における第2のサブ画素2222及び第3のサブ画素3333、並びに第2の画素組2000における第2のサブ画素2222及び第3のサブ画素3333は第2の方向に沿って配列され、第1の方向が第2の方向に垂直する。好ましくは、第1のサブ画素1111がGサブ画素、第2のサブ画素2222がBサブ画素、第3のサブ画素3333がRサブ画素である。
【００３７】
更に、当該実施例において、OLED画素配列構造は、第3の画素組3000をさらに含み、第3の画素組3000も三角形状に配列された第1のサブ画素1111、第2のサブ画素2222及び第3のサブ画素3333を有し、第3の画素組3000における第1のサブ画素1111と第1の画素組1000又は第2の画素組2000における第1のサブ画素1111とは第1の方向に沿って接続される。
【００３８】
当該実施例において、2つの画素組における同じ色のサブ画素は互いに接続され、従来技術における単一のサブ画素に比べて、同様にOLEDディスプレイの解像度（ppi）が同じであることを確保すると同時に、金属マスク（Fine Metal Mask、高精度金属マスク）の開口率を向上させ、金属マスクの製造での困難を解決することができる。又は、マスクの開口率が同じであることを確保すると同時に、1つの画素組における各サブ画素をより小さくさせ、OLEDディスプレイの解像度を更に向上させることができる。
【００３９】
以上は、単に本発明の好ましい実施例に過ぎず、いずれの形式で本発明を限定するものではなく、好ましい実施例で本発明について以上のように説明したが、本発明を限定するためのものではない。当業者は、本発明の技術案を逸脱しない範囲に、以上に開示された技術内容を利用していくつかの変更又は修飾を加えて同等変更の等価な実施例を作成することができるが、本発明の技術案の内容から逸脱しない限り、本発明の技術実質に従って上記実施例に対するいずれの簡単な改正、同等変更及び修飾は、いずれも本発明の技術案の範囲に属する。
【図１】
2016090991.tif 000003
【図２】
2016090991.tif 000004
【図３】
2016090991.tif 000005
【図４】
2016090991.tif 000006
【図５】
2016090991.tif 000007
【図６】
2016090991.tif 000008
【図７】
2016090991.tif 000009
【図８】
2016090991.tif 000010
【図９】
2016090991.tif 000011
【図１０】
2016090991.tif 000012
【手続補正書】
【提出日】平成27年12月15日(2015.12.15)
【手続補正１】
【補正対象書類名】特許請求の範囲
【補正対象項目名】全文
【補正方法】変更
【補正の内容】
【特許請求の範囲】
【請求項１】
複数のRサブ画素からなるRサブ画素群と、複数のGサブ画素からなるGサブ画素群と、複数のBサブ画素からなるBサブ画素群と、を含み、
前記Rサブ画素群、Gサブ画素群及びBサブ画素群は間隔を置いて配列され、それにより、前記Rサブ画素群、Gサブ画素群及びBサブ画素群において隣接するR、G、Bサブ画素で1つの画素を構成し、
前記Rサブ画素群は、2つのRサブ画素で構成され、前記Gサブ画素群は2つのGサブ画素で構成され、前記Bサブ画素群は2つのBサブ画素で構成され、
第1の方向に沿って順次配列された第1のRサブ画素群、第1のGサブ画素群及び第1のBサブ画素群を有する複数の第1のサブ画素列と、
第1の方向に沿って順次配列された第2のRサブ画素群、第2のGサブ画素群及び第2のBサブ画素群を有する複数の第2のサブ画素列と、を含み、
前記第1のサブ画素列と前記第2のサブ画素列は間隔を置いて配列され、前記第1のサブ画素列における第1のRサブ画素群、第1のGサブ画素群及び第1のBサブ画素群と前記第2のサブ画素列における第2のRサブ画素群、第2のGサブ画素群及び第2のBサブ画素群とは前記第1の方向に沿ってずらして配列され、それにより、前記第1のサブ画素列と第2のサブ画素列との間の隣接するR、G、Bサブ画素で1つの画素を構成するとともに、いずれのサブ画素群における2つのサブ画素は前記第1の方向に垂直する第2の方向に沿って配列されることを特徴とするOLED画素配列構造。
【請求項２】
前記第1のサブ画素列における隣接する2つのサブ画素群と前記第2のサブ画素列における1つのサブ画素群との間の隣接するR、G、Bサブ画素は1つの画素を構成するとともに、前記第1の方向に沿って隣接する2つの画素は、
1つのRサブ画素、2つのGサブ画素及び2つのBサブ画素、又は、
1つのGサブ画素、2つのBサブ画素及び2つのRサブ画素、又は、
1つのBサブ画素、2つのRサブ画素及び2つのGサブ画素を含むことを特徴とする請求項1に記載のOLED画素配列構造。
【請求項３】
前記第1のサブ画素列における1つのサブ画素群と前記第2のサブ画素列における隣接する2つのサブ画素群との間の隣接するR、G、Bサブ画素は1つの画素を構成するとともに、前記第1の方向に沿って隣接する2つの画素は、
1つのRサブ画素、2つのGサブ画素及び2つのBサブ画素、又は、
1つのGサブ画素、2つのBサブ画素及び2つのRサブ画素、又は、
1つのBサブ画素、2つのRサブ画素及び2つのGサブ画素を含むことを特徴とする請求項1に記載のOLED画素配列構造。
【請求項４】
前記第1の方向が行方向で、前記第2の方向が列方向であることを特徴とする請求項1〜3の中のいずれか一項に記載のOLED画素配列構造。
【請求項５】
前記第1の方向が列方向で、前記第2の方向が行方向であることを特徴とする請求項1〜3の中のいずれか一項に記載のOLED画素配列構造。
【請求項６】
第1の画素組と第2の画素組とを含み、いずれの前記第1の画素組又は前記第2の画素組は三角形状に配列された第1のサブ画素、第2のサブ画素及び第3のサブ画素を有し、前記第1の画素組における第2のサブ画素と前記第2の画素組における第2のサブ画素とは互いに接続され、前記第1の画素組における第3のサブ画素と前記第2の画素組における第3のサブ画素とも互いに接続され、前記第1のサブ画素、第2のサブ画素及び第3のサブ画素は色がそれぞれ異なる
ことを特徴とするOLED画素配列構造。
【請求項７】
前記第1の画素組と第2の画素組とは第1の方向に沿って配列され、前記第1の画素組における第2のサブ画素及び第3のサブ画素、並びに前記第2の画素組における第2のサブ画素及び第3のサブ画素は第2の方向に沿って配列され、前記第1の方向が前記第2の方向に垂直することを特徴とする請求項6に記載のOLED画素配列構造。
【請求項８】
第3の画素組をさらに含み、前記第3の画素組は三角形状に配列された第1のサブ画素、第2のサブ画素及び第3のサブ画素を有し、前記第3の画素組における第1のサブ画素と前記第1の画素組又は第2の画素組における第1のサブ画素とは前記第1の方向に沿って接続されることを特徴とする請求項7に記載のOLED画素配列構造。